(57)【要約】【課題】マット付き本体を簡単な構成で、しかもマット付き本体をウエスト又はヒップを中心にした、あらゆる傾斜角度に刺激感度の少ない緩やかで円滑にねじれ回転させる「多目的ねじれ健康ベッド」を提供する【解決手段】仰臥身体の上半身を載せるマット付きの上揺動本体と、仰臥身体の下半身を載せるマット付きの下揺動本体をベッド長手方向に配列し、この上・下揺動本体の各々は、下部中央部をベッド基台に竪設した支持体の上部に首振り自在に連結支持し、ベッド基台に上・下揺動本体を全方向に連続して傾斜揺動させる傾斜揺動装置を設置してなる多目的ねじれ健康ベッド。  【選択図】        図１
0003148441.tif 000002
【実用新案登録請求の範囲】
【請求項１】
仰臥身体の上半身を載せるマット付きの上揺動本体と、仰臥身体の下半身を載せるマット付きの下揺動本体をベッド長手方向に配列し、この上・下揺動本体の各々は、下部中央部をベッド基台に竪設した支持体の上部に首振り自在に連結支持し、ベッド基台に上・下揺動本体を全方向に連続して傾斜揺動させる傾斜揺動装置を設置してなる多目的ねじれ健康ベッド。
【請求項２】
傾斜揺動装置は、ベッド基台上に支持体の下部を中心に円盤を回転駆動させる回転円盤駆動装置と、高さを調節可能にした上部の回転体を揺動本体の下面の円形レールに当接回転走行可能に装着し下部を円盤上の円周部に固定して竪設した揺動操作シャフトと、揺動本体と円盤との間に単数又は複数個のスプリングを圧縮状態で介設したスプリング機構とから構成した請求項１の多目的ねじれ健康ベッド。  
【請求項３】
上・下揺動本体下部中央部と支持体の上部との連結支持機構として、ボールジョイント又はユニバーサルジョイント等の回転自在継手にした請求項１の多目的ねじれ健康ベッド。
【考案の詳細な説明】
【技術分野】
【０００１】
本考案は、多目的ねじれ健康ベッドに関するものである。
【背景技術】
【０００２】
健康な人は勿論、自力で身動きが殆どできない状態でベッド療養される寝たきり老人のために、寝たままの仰臥の姿で、無理にならない範囲で姿勢をねじれ変化させて効果のあるねじれ運動ができるベッドを本考案者は間発した。
従来、病入用のベッドとして紹介されているものは、特許文献１〜特許文献３などに見られるように、大掛かりで複雑な機構にした上半身のみを所定角度に起こすタイプの二つ折ベッド(特許文献１と特許文献２)や上半身と下肢の上・下脚毎に分割して適宜な角度に調節する三つ折ベッド(特許文献３)等が主流を占めている。
【０００３】
しかしこれらの折畳式ベッドは、身体をねじることができない。身体全体を適宜に、ねじりストレッチすることは身体の体液の循環機能と筋肉の活性化、気分転換などの健康維持に好ましい効果が得られることは周知であるが、ベッド療養生活をする人たちにも寝ながらにしてこのねじりストレッチ効果を甘受させたい。
＜過去２０年間で「折畳式ベッド」を紹介の公開公告公報からの抜粋＞
【特許文献１】特開2008-136780号公報
【特許文献２】特開2007-190366号公報
【特許文献３】特開2007-6139号公報
【考案の開示】
【考案が解決しようとする課題】
【０００４】
本考案の主な課題は、マット付き本体を簡単な構成で、しかもマット付き本体をウエスト又はヒップを中心にした、あらゆる傾斜角度に刺激感度のない緩やかで円滑にねじれ回転させることを可能にし、一般健常者の健康促進は勿論のこと、前述した本考案者の思い「ベッド療養生活をする人たちに、その人の療養状態に応じた身体全体の“ねじりストレッチ効果"を甘受させたい」を達成した「多目的ねじれ健康ベッド」を提供するものである。
【課題を解決するための手段】
【０００５】
上記課題を満足させる本考案の基本的な技術構成は、次の(1)〜(3)の通りである。
(1)、仰臥身体の上半身を載せるマット付きの上揺動本体と、仰臥身体の下半身を載せるマット付きの下揺動本体をベッド長手方向に配列し、この上・下揺動本体の各々は、下部中央部をベッド基台に竪設した支持体の上部に首振り自在に連結支持し、ベッド基台に上・下揺動本体を全方向に連続して傾斜揺動させる傾斜揺動装置を設置してなる多目的ねじれ健康ベッド。
(2)、傾斜揺動装置は、ベッド基台上に支持体の下部を中心に円盤を回転駆動させる回転円盤駆動装置と、高さを調節可能にした上部の回転体を揺動本体の下面の円形レールに当接回転走行可能に装着し下部を円盤上の円周部に固定して竪設した揺動操作シャフトと、揺動本体と円盤との間に単数又は複数個のスプリングを圧縮状態で介設したスプリング機構とから構成した前記(1)の多目的ねじれ健康ベッド。  
(3)、上・下揺動本体下部中央部と支持体の上部との連結支持機構として、ボールジョイント又はユニバーサルジョイント等の回転自在継手にした前記(1)の多目的ねじれ健康ベッド。
【考案の効果】
【０００６】
本考案の「多目的ねじれ健康ベッド」は、主に前記の堅牢な分割型にし、分割部分を単独で又は双方を同時に全方向に渡る揺動を可能にした前記上・下揺動本体とその傾斜揺動装置を主構成とするものである。即ち前記傾斜揺動装置により、上・下揺動本体をその隣接中心点を点対象として同時にしかも揺動速度を任意に設定して、刺激感度を調節し緩やかで円滑に、仰臥身体のウエストを中心とする上下左右の傾斜ねじり揺動を行しめるものである。
この多目的ねじれ健康ベッドにより、寝ながらにしてウエスト又はヒップを中心にした多種多様のダイエット用ねじれストレッチ運動を総括し、体重の減量促進、健常者のスリム化と美容促進、内脂肪の除去、健康促進など幅広い範囲に亘って応用することができるものである。
そして、これ等の効果により、健常者は勿論、前述した本考案者の思い「特に、ベッド療養生活をする人たちに、その人の療養状態に応じた身体全体のストレッチ効果を甘受させたい」を有利に優しく達成したものである。
【考案を実施するための最良の形態】
【０００７】
本考案を実施するための最良の形態は、次に紹介する実施例により詳細に説明する。
【実施例１】
【０００８】
本例の多目的ねじれ健康ベッドは、上・下揺動本体の傾斜揺動装置としてスプリング機構を採用した例である。
図１〜図４において、本例の多目的ねじれ健康ベッド100は、脚部101と上端開放型ボックスタイプのベッド基台102と、例えばウエストから上の上半身を乗せる平面盤上の上揺動本体201とウエストから下の下半身を乗せる平面盤上の下揺動本体202と、この上・下揺動本体の下部中央部を首振り自在に連結支持しベッド基台102に竪設した支持体231、232と、上・下揺動本体201、202の下部に設けた傾斜揺動装置とから構成してある。
【０００９】
上揺動本体201は上に枕と側枠を付設し、下揺動本体202は上に足置と側枠を付設し、隣接側を図３に示すように半円形にしてある。
又、この上・下揺動本体201、202は、各々上に二つ折り可能にしたマット201a、202aを装着してある。
支持体231、232は、上部にクロス回転軸(233a、233b)、(234a、234b)からなるユニバーサルジョイント（回転自在継手）233、234を有し、これを上・下揺動本体の下部中心部に首振り自在に連結支持する。
【００１０】
傾斜揺動装置は、ベッド基台102内に設けられ、支持体231、232の下部を中心に水平旋回アーム213、214を回転駆動させる回転円盤駆動装置と、上部にロール式回転体215、216のロールを有し下部を水平旋回アーム213、214各々の上の円周部に固定して竪設した少なくとも各１本の揺動操作シャフト217、218と、当該揺動本体側のバネ受け201ｂ、202ｂと支持体231、232の中間部のバネ受け231a、232aとの間に反力50〜100kg程度の圧縮状態で介設した単数又は複数個のスプリング219、220とから構成してある。
揺動操作シャフト217、218のロール式回転体215、216は、ヘッド高さを調節可能にしてあり、支持体231、232のユニバーサルジョイント（回転自在継手）233、234のヘッド高さより高くして上・下揺動本体の首振り揺動の傾斜角を設定してある。
ロール式回転体215、216は、ロールを首振り軸で支持しその軸の位置はロール接地位置よりずらして常にロールの走行方向の前部になるようにして当該揺動本体の下面のドーナツ形レールに沿って当接走行回転する。
【００１１】
回転円盤駆動装置は回転駆動モーター301と、回転駆動モーター301に減速機302を介して接続し外周部に一対のスクリューギアー部303aを形成しこれらを水平旋回アーム213、214の下部支持盤213a、214aの外周端面に形成したスクリューギアー受けギアー213ｂ、214ｂに噛合わせた回転駆動シャフト303とからなる。
変形例として水平旋回アーム213、214単位で回転駆動モーターを設置してもよい。
【００１２】
支持体231、232位置を点対象の関係位置に配置して回転円盤駆動装置を駆動させ水平旋回アーム213、214を同一方向に１回転させることにより、上・下揺動本体201、202は図１と図２と図４に示すように、点対象の関係でねじれ揺動する。
図１はスタート時の状態の揺動状態１を示し、揺動操作シャフト217、218が外側に位置し、上・下揺動本体201、202は隣接部が最も低い位置にあり外側が最も高い位置にある。この状態から揺動操作シャフト217、218を同一回転方向に90度変化させると上揺動本体201は右に傾斜し下揺動本体202は左に傾斜した図４に示す揺動状態２になる。この状態から揺動操作シャフト217、218を同一回転方向に更に90度変化させると図２の揺動状態３になり揺動操作シャフト217、218が内側に位置し、上・下揺動本体201、202は隣接部が最も高い位置にあり外側が最も低い位置にある。この状態から揺動操作シャフト217、218を同一回転方向に更に90度変化させると図４に示す状態の逆の上揺動本体201は左に傾斜し下揺動本体202は右に傾斜した揺動状態４つまり図４に示す状態の逆の状態になる。この状態から揺動操作シャフト217、218を同一回転方向に更に90度変化させると再び図１の元の揺動状態１になる。
【００１３】
このように水平旋回アーム213、214を同一方向に目的に応じて多数回転させることにより、仰臥身体をウエストを中心に所定の傾斜角度でヘの字と逆ヘの字と左右交互に連続してねじりストレッチして所期のストレッチ作用効果を得るのである。
【産業上の利用可能性】
【００１４】
本考案は、上述のように堅牢な構造体であり、優れた作用効果を呈するものであり、一般家庭、老人ホーム、医療機関等におけるストレッチベッド、介護ベッド、療養ベッドなどにも幅広く適用普及することができるので、この種産業界に多大な貢献をもたらすものである。
【図面の簡単な説明】
【００１５】
【図１】本考案の実施例１の揺動状態1を示す側面説明図である。
【図２】実施例１の揺動状態3を示す側側面説明図である。枕、側枠、足置きを省略してある。
【図３】実施例１の平面説明図である。
【図４】図２の矢視A-Aからの正面説明図であるが揺動状態2又は揺動状態４を示説明するための図である。スプリングを省略してある。
【符号の説明】
【００１６】
201        上揺動本体
202        下揺動本体
231、232    支持体
213、214    水平旋回アーム
217、218    揺動操作シャフト
219、220    スプリング
233、234    ユニバーサルジョイント（回転自在継手）
102          ベッド基台
【図１】
0003148441.tif 000003
【図２】
0003148441.tif 000004
【図３】
0003148441.tif 000005
【図４】
0003148441.tif 000006